(57)【要約】【課題】機能位置においてはハンガーとなり、使用していない時には収納位置に収納することができて、収納位置では少ないスペースでかつ外観上目立たないような衣類ハンガー組立体を提供する。【解決手段】衣類ハンガー組立体は二つのアーム（１ａ、１ｂ）を有し、アーム（１ａ、１ｂ）が収納される収納位置とその中でアーム（１ａ、１ｂ）がハンガーに似た構造に形成される機能位置との間で可動である。衣類ハンガー組立体はさらにスライド（３）とロープ駆動装置（２）を有する。アーム（１ａ、１ｂ）はスライド（３）にヒンジ止めされて、スライド（３）はロープ駆動装置（２）に配置され、衣類ハンガー組立体が収納位置と機能位置との間で調整するため、ロープ駆動装置（２）によってスライド（３）を動かすことができる。【選択図】図１
2021502189.tif 000002
【特許請求の範囲】
【請求項１】
アーム（１ａ、１ｂ）が収納される収納位置とその中で前記アーム（１ａ、１ｂ）がハンガーに似た構造に形成される機能位置との間を移動することができる二つのアーム（１ａ、１ｂ）を持つ、車両の室内に取り付けるための衣類ハンガー組立体において、
前記衣類ハンガー組立体がスライド（３）とロープ駆動装置（２）を有し、前記アーム（１ａ、１ｂ）が前記スライド（３）にヒンジ止めされて、前記スライド（３）がロープ駆動装置（２）に配置されて、前記衣類ハンガー組立を、前記収納位置と前記機能位置との間で調整するために、前記スライド（３）が前記ロープ駆動装置（２）を用いて移動可能なことを特徴とする衣類ハンガー組立体。
【請求項２】
請求項１の衣類ハンガー組立体において、前記衣類ハンガー組立体が、前記スライド（３）をガイドするガイドフレーム（４）を有することを特徴とする衣類ハンガー組立体。
【請求項３】
請求項２に記載の衣類ハンガー組立体において、前記スライド３に、前記ガイドフレーム（４）のガイド溝(４０ａ、４０ｂ)の中に噛み込む少なくとも一つの噛み込み部材(３０ａ、３０ｂ)を有することを特徴とする衣類ハンガー組立体。
【請求項４】
請求項２または３に記載の衣類ハンガー組立体において、前記アーム（１ａ、１ｂ）が収納位置において、前記ガイドフレーム（４）の第一のスペース（４１）の中に収納されることを特徴とする衣類ハンガー組立体。
【請求項５】
請求項２から４のいずれか一項に記載の衣類ハンガー組立体において、前記衣類ハンガー組立体が、前記ガイドフレーム（４）がヒンジ点（５０）でヒンジ止めされるハウジング（５）を有することを特徴とする衣類ハンガー組立体。
【請求項６】
請求項５に記載の衣類ハンガー組立体において、前記ロープ駆動装置（２）を用いて前記旋回装置（４２）を介して前記ガイドフレーム（４）に力が加わるように、前記ガイドフレーム（４）に前記旋回部材（４２）を前記ヒンジ点（５０）に対して、間隔をあけて配置し、それによって前記ヒンジ点（５０）回りに前記ガイドフレーム（４）が前記ハウジング（５）に対して調整できることを特徴とする衣類ハンガー組立体。
【請求項７】
請求項５または６に記載の衣類ハンガー組立体において、前記ガイドフレーム（４）が前記収納位置において、前記ハウジング（５）の第二のスペース（５１）の中に収納され、前記機能位置において、前記ハウジング（５）に対してある角度で配置されることを特徴とする衣類ハンガー組立体。
【請求項８】
請求項１から７のいずれか一項に記載の衣類ハンガー組立体において、前記ロープ駆動装置（２）が、前記スライド（３）が固定されるロープ（２０）を有することを特徴とする衣類ハンガー組立体。
【請求項９】
請求項８に記載の衣類ハンガー組立体において、前記ロープ駆動装置（２）が前記ロープ（２０）を引っ張る引っ張り装置（２１）を有することを特徴とする衣類ハンガー組立体。
【請求項１０】
請求項８または９に記載の衣類ハンガー組立体において、前記ロープ駆動装置（２）が、その上に前記ロープ（２０）が巻きつけることができる、少なくとも一つのリール部材（２２）を有することを特徴とする衣類ハンガー組立体。
【請求項１１】
請求項１０に記載の衣類ハンガー組立体において、前記ロープ駆動装置（２）が回転可能なシャフト（２３）とモーター（２４）を有し、前記リール部材（２２）は前記シャフト（２３）に取り付けられて前記モーター（２４）が前記シャフト（２３）を駆動することを特徴とする衣類ハンガー組立体。
【請求項１２】
請求項５から７のいずれか一項に記載され、かつ請求項１０から１１のいずれか一項に記載の衣類ハンガー組立体において、前記リール部材（２２）が前記ハウジング（５）の中に回転可能に取り付けられることを特徴とする衣類ハンガー組立体。
【請求項１３】
請求項１から１２のいずれか一項に記載の衣類ハンガー組立体において、前記アーム(１ａ、１ｂ)と前記スライド（３）がトーションばねによって互いに予圧を与えることを特徴とする衣類ハンガー組立体。
【請求項１４】
請求項１から１３のいずれか一項に記載の衣類ハンガー組立体において、前記衣類ハンガー組立体が第一の調整部材（４５ａ)を少なくとも一つ有しており、それによって前記アーム(１ａ、１ｂ)が前記機能位置から前記納位置へ調整する際に、ぶつかることによって前記スライド（３）に対して旋回可能であることを特徴とする衣類ハンガー組立体。
【請求項１５】
請求項５から７のいずれか一つに記載の衣類ハンガー組立体において、前記衣類ハンガー組立体が、ハウジング（５）、それにヒンジ止めされるガイドフレーム（４）、およびモーター駆動のロープ駆動装置（２）を持つ、車両の室内に取り付けるためのプレハブのモジュールであることを特徴とする衣類ハンガー組立体。
【発明の詳細な説明】
【技術分野】
【０００１】
本発明は請求項１の前提部に基づいた衣類ハンガー組立体に関する。
【背景技術】
【０００２】
このような衣類ハンガー組立体は衣類ハンガー組立体の収納位置で収納され、また衣類ハンガー組立体の機能位置でハンガーに似た構造を形成する二つのアームを有し、その衣類ハンガー組立体は収納位置と機能位置との間で調整できる。
【０００３】
このような衣類ハンガー組立体は、例えば機能位置においてコートまたは上着のような衣類を保管するのに役立つ。使用していない時には、収納位置にそれを収納することができる。このような衣類ハンガー組立体は例えば車両の室内で使用することができ、また車両の屋根に取り付けることができる。
【０００４】
運転手または乗員が着ていない衣類を走行中に車両の中で保管するために、空いた席のような平らな保管面、またはフックやハンガーのような吊り下げ器具がよく用いられる。平らな保管面の上で保管することは衣類を汚す恐れがあり、カーブの多い区間で衣類があちこちに動き回って車両の走行安全性を減少させる危険性がある。フックを使用するためには衣類の首筋のあたりに吊るすためのテープを付けることが必要となるが、例えばジャケットに対しては、しわの原因となるために必ずしも望ましくない。しわを防止するためにハンガーを使用することはできるが、車両の中で確実に固定することも、また使用していない時に小さいスペース保管することもできない。
【０００５】
ＤＥ１０２６１８９６Ａ１による車両の座席の背もたれに取り付けられる衣類ハンガー組立体のような解決策は、ハンガーより省スペースではあるが収納位置では目立ち、しかも場所を取る。
【０００６】
ＥＰ０７５３４２７Ａによるハンガーは手すりの一部として車両用のドアの上に取り付けられて、衣類ハンガー組立体のような別の解決策では、収納位置ではほとんど見立たなくなるが、手すりと無理に組み合わせて、それを取り付けるとことは簡単ではない。
【０００７】
二つの解決策ではさらに収納位置から機能位置の切り替えのために、例えば押す、または引くと言った面倒な手動の操作が必要である。
【発明の概要】
【発明が解決しようとする課題】
【０００８】
本発明の目的は、機能位置ではハンガーとなり、使用していない時には収納位置に収納することができて、収納位置では少ないスペースでかつ外観上目立たないような衣類ハンガー組立体を提供することである。
【課題を解決するための手段】
【０００９】
この目的は請求項１の構成を持った発明により解決される。
【００１０】
すなわち衣類ハンガー組立体は二つのアームを有しており、アームが収納されている収納位置と、アームがハンガーに似た構造に形成される機能位置との間で移動することができる。移動のために衣類ハンガー組立体はスライドとロープ駆動装置を有しており、スライドはロープ駆動装置に配置され、またロープ駆動装置を使って動かされる。アームはスライドにヒンジ止めされる。スライドの移動によって衣類ハンガー組立体は収納位置と機能位置の間で移動することができる。
【００１１】
言い換えると、本発明は衣類ハンガー組立体の収納位置と機能位置との間の移動をロープ駆動装置によって引き起こすというアイデアに基づいている。これは衣類ハンガー組立体の調整が自動的に行われるという利点がある。手動による操作ももちろん考えられる。
【００１２】
一実施形態において、アームは、開閉可能にスライドに取り付けられる。この実施形態例では、機能位置でアームは展開して、収納位置で折りたたまれる。衣類ハンガー組立体の調整のために、この実施形態例においては、スライドの移動によってアームが折りたたまれ、または展開する。
【００１３】
アームの展開は、例えばスライドの移動方向に沿った軸から離れるようして起きる。折りたたみは、例えばスライドの移動方向に沿った軸に向かって起きる。アームの展開時には、スライドの移動方向は、アーム折りたたみ時のスライド移動方向と反対方向になる。展開時、スライドが移動方向に向かってアーム間の角度が大きくなる。折りたたみ時、アーム間の角度はスライドの移動方向と逆の方向に向かって減少する。
【００１４】
一実施形態においては、衣類ハンガー組立体はガイドフレームを有している。ガイドフレームはスライドをガイドする働きをする。例えばガイドフレームは少なくとも一つのガイド溝を有しており、その中でスライドは少なくとも一つの噛み合い部材と噛み合う。ガイドフレームは、例えば直方体の形状に形成され、さらに少なくとも一つのガイド溝が、直方体の形状をしたガイドフレームの最も長い側面の一つの面に沿って延びている。
【００１５】
一実施形態において、アームは収納位置においてガイドフレームの第一のスペースの中に、収納される。この実施形態例においては、衣類ハンガー組立体の機能位置への移行時、アームは第一のスペースから出て機能位置に展開する。この実施形態例においてはアームは機能位置から収納位置への移行時、第一のスペースの収納位置に折りたたまれる。スライドを第一のスペースに配置してもよく、少なくとも一つのガイド溝が第一のスペースに沿って延びるようにしてもよい。
【００１６】
ガイドフレームに、例えばスライドが移動してそこに当たる第一のストッパー部材で、スライドの第一の端点を定めることができる。スライドは、例えば衣類ハンガー組立体の機能位置において第一の端点に配置してもよい。例えば、第一のストッパー部材を、スライドとアームの一部が第一のストッパー部材で密着するように形成してもよい。スライドがさらにロープ駆動装置を用いて、第一のストッパー部材に押しつけられるようにすることもできる。これはアームを機能位置に安定して支えるために有利である。
【００１７】
同様に、ガイドフレームは第二の端点を決めることがでる第二のストッパー部材を有して、その中でスライドは衣類ハンガー組立体の収納位置に配置される。第一のストッパー部材と第二のストッパー部材はガイドフレームの第一のスペースを区画することもできる。
【００１８】
一実施形態においては、衣類ハンガー組立体は、少なくとも一つのヒンジ点でガイドフレームがヒンジ止めされたハウジングを有している。少なくとも一つのヒンジ点は、例えば蝶番によって形成され、ガイドフレームはハウジングに対して少なくとも一つのヒンジ点回りに移動することができる。
【００１９】
一実施形態において機能位置で、ハウジングはその大部分がＸ方向に沿って、ガイドフレームはその大部分がＺ方向に沿って、またアームの大部分がＹ方向に沿って延びる。この方向Ｘ、ＹおよびＺは互に直角に配置される。
【００２０】
ハウジングは、例えば第二のスペースを有している。収納位置においてガイドフレームは第二のスペースに収納される。ハウジングは、例えば直方体の形状に形成され、ガイドフレームはハウジングの最も長い側面の一つにヒンジ止めされる。第二のスペースは、この実施例においてはハウジングの最も長い側面に沿って延びる。
【００２１】
別の一実施形態においては、少なくとも一つのヒンジ点に対してある距離をおいて旋回部材をガイドフレームに配置して、それによってロープ駆動装置を用いて、旋回部材を介して少なくとも一つのヒンジ点回りに、ハウジングに対してガイドフレームが移動できるようする。旋回部材は、例えばガイドフレームへの通路の角、あるいは丸い材料で形成できる。ロープ駆動装置は、旋回部材を介してガイドフレームに力を加えて、その力で少なくとも一つのヒンジ点回りにガイドフレームを回転させることができる。
【００２２】
従って、ロープ駆動装置が旋回部材を第一の方向に引っ張ることによって、衣類ハンガー組立体は機能位置から収納位置に移動する、またはロープ駆動装置が旋回部材を第二の方向に引っ張ることによって、収納位置から機能位置へ移動することも考えられる。
【００２３】
一実施形態において、ロープ駆動装置はロープを有しており、スライドは固定点でロープに固定される。固定点は、例えば結び目、またはクリップ、またはその他の固定手段でもよい。有利な一実施形態においては、ガイドフレームの中でスライドが傾くのを防止するために固定点はスライドの中心に配置される。
【００２４】
一実施形態において、衣類ハンガー組立体は方向転換点を有しており、そこでロープは、ほぼ１８０度まで方向が変えられる。方向転換点をガイドハウジングに配置してもよい。特に方向転換点はガイドフレームの第一のストッパー部材に配置してもよい。方向転換点は例えば丸い材料で形成してもよい。
【００２５】
旋回部材と方向転換点を有している衣類ハンガー組立体の一実施形態において、ロープは、例えば旋回部材からスライドを通って延び、それを固定点で固定することができ、スライドからさらにガイドハウジングの方向転換点に延びて、ロープは方向転換点からスライドを通って再び旋回部材に向かって延びる。
【００２６】
一実施形態例においては、ロープは衣類ハンガー組立体のテンション装置で引っ張られる。例えば、テンション装置は、ガイドフレームがヒンジ止めされているハウジング中に配置され、ロープは旋回部材から第一の方向に、テンション装置に向かって延びる。
【００２７】
一実施形態において、ロープ駆動装置は、ロープを方向転換させる方向転換部材を有する。方向転換部材は、例えばハウジングに配置することができ、また丸い材料で形成することができる。この実施形態例において、旋回部材からテンション装置に向かう前述の第一の方向とは異なる、旋回部材から方向転換部材に向かう第二の方向にロープが延びる。
【００２８】
別の実施形態において、ロープを少なくとも一つのロープ駆動装置のリール部材に巻き上げることが可能である。少なくとも一つのリール部材を、例えばハウジングに配置することも可能である。
【００２９】
ある一実施形態において、ロープの両端は共通のリール部材に巻き取ることができる。例えばロープの一つの端の部分は第一の回転方向に巻き上げられ、またロープの他の端の部分はそれと反対の第二の回転方向に巻き上げられる。ロープの一つの端を巻き上げることは、その時にロープの他の端を巻き戻すことになる。
【００３０】
巻き上げられた部分からロープをガイドして、例えばロープがリール部材から第一の方向より旋回部材へと延びるようにする、またロープのもう一つの巻き上げられた部分からロープをガイドして、リール部材から第二の方向より旋回部材へ延びるようにすることができる。
【００３１】
リール部材を、例えばロープ駆動装置の調整輪を用いて手動で回転させることも当然考えられる。同様にロープ駆動装置のモーターで駆動可能な、ロープ駆動装置のシャフトにリール部材を回転固定で取り付けることも考えられる。このような実施形態においては、衣類ハンガー組立体は自動的に、すなわち操作信号によって、収納位置と機能位置との間で調整可能である。
【００３２】
衣類ハンガー組立体は、アームとスライドに互いに予圧を加えるばね部材を有している。例えば少なくとも一つのばね部材は、スライドとアームとの間に配置される少なくとも一つのトーションばねで形成される。少なくとも一つのばね部材のばね力は、それによって、機能位置でアームがハンガーに似た構造を形成しながらガイドフレームと隣接する位置になるようにアームに予圧を加える。
【００３３】
一実施形態例においては、衣類ハンガー組立体は収納部材を有しており、その収納部材はアームを、少なくとも一つのばね部材のばね力に抗して、収納位置にアームを収納する。例えば収納部材はガイドフレームの一部分によって形成される。このガイドフレームの部分は、例えば収納位置でアームの一部分を囲むことができる。
【００３４】
別の一実施形態例においては、衣類ハンガー組立体は第一の調整部材と第二の調整部材を有しており、衣類ハンガー組立体の機能位置から収納位置への調整時、そこにアームがぶつかる。第一の調整部材と第二の調整部材はこの実施形態例においては少なくとも一つのばね部材のばね力に抗してアームを調整する。第一の調整部材と第二の調整部材はガイドフレームの一部分によって形成される。例えば第一の調整部材と第二の調整部材はガイドフレームの収納部材の角で形成してもよい。
【００３５】
衣類ハンガー組立体がハウジング、これにヒンジ止めされるガイドフレーム、およびモーター駆動のロープ駆動装置を有している一実施形態例においては、衣類ハンガー組立体は取り付けのためにプレハブのモジュールとして構成される。特に車両室内に取り付けるために備えられたモジュールとして構成される。特に衣類ハンガー組立体は車両の天井のライナーに取り付けるためのモジュールとして構成される。
【００３６】
この実施形態例においては、衣類ハンガー組立体の自動的な調整は、衣類ハンガー組立体の収納位置から進んで、旋回部材をロープ駆動装置によって展開方向に引っ張ることによって、ガイドフレームをハウジングの第二のスペースから展開することから始まる。ロープ駆動装置をさらに引っ張ることによって、ガイドフレームの第一のストッパー部材の方向にスライドが移動し、その結果、収納部材で部分的に囲まれたアームは収納部材から動かされて、ばね部材のばね力によって展開する。ロープ駆動装置をさらに引っ張ることによって、衣類ハンガー組立体が機能位置になるまでスライドを移動させる。
【００３７】
機能位置から収納位置への移行時、衣類ハンガー組立体の自動的な調整は、この実施形態例においては、スライドの移動で始まる。アームが第一の調整部材と第二の調整部材にぶつかると、アームがガイドフレームの第一のスペースに折りたたまれ、同時に、ロープ駆動装置が折りたたみ方向に旋回部材を引っ張ることによってガイドフレームがハウジングの第二のスペースに折りたたまれる。
【００３８】
本発明の基礎となるアイデアを以下において、実施形態を図示しながら詳しく説明する。
【図面の簡単な説明】
【００３９】
【図１】二つのアーム、ロープ駆動装置、およびスライドを持つ衣類ハンガー組立体の図である。
【図２Ａ】機能位置における衣類ハンガー組立体の図である。
【図２Ｂ】収納位置における衣類ハンガー組立体の図である。
【図３Ａ】機能位置における衣類ハンガー組立体の図であり、衣類ハンガー組立のハウジングの一部を透視している図である。
【図３Ｂ】機能位置における衣類ハンガー組立体の図である。
【図４】機能位置から収納位置への変換時の衣類ハンガー組立体の図である。
【００４０】
図１は二つのアーム１ａ、１ｂ、ロープ駆動装置２、およびアーム１ａ、１ｂがヒンジ止めされているスライド３を持つ衣類ハンガー組立体を示す。アーム１ａ、１ｂのヒンジ止めはアーム１ａ、１ｂを開閉可能にスライド３に取り付ける蝶番を使って行われる。ロープ駆動装置２は固定点３３でスライド３に噛み込み、それによってスライド３はロープ駆動装置２を使って動かすことが出来る。
【００４１】
アーム１ａ、１ｂとスライド３はそれぞれトーションばね３２ａ、３２ｂによって互いに予圧を加える。
【００４２】
衣類ハンガー組立体は、図２Ａに示す機能位置と図２Ｂに示す収納位置との間で調整することができる。アーム１ａ、１ｂは機能位置で展開し、収納位置で折りたたまれる。
【００４３】
スライド３の二つの正方形の噛み合い部材３０ａ、３０ｂがガイドフレーム４の二つのガイド溝４０ａ、４０ｂの中に噛み込んで、スライド３がガイドフレーム４でガイドされる。ガイド溝４０ａ、４０ｂは、ガイドフレーム４の第一のスペース４１を区画する、向かい合う壁の上で、直方体の形状のガイドフレーム４の長手方向の軸に沿って延びる。
【００４４】
第一のスペース４１は、さらにガイドフレーム４の第一のストッパー部材４３ａと、第一のストッパー部材４３ａと反対側のガイドフレーム４の端にある第二のストッパー部材４３ｂによって区画される。機能位置において、スライド３は第一のストッパー部材４３ａで係止する。アーム１ａ、１ｂは機能位置において同じように第一のストッパー部材４３ａで係止し、ガイドフレーム４に対してある角度で反対側に張り出し、それによってハンガーに似た構造を形成する。
【００４５】
第一のスペース４１は、アーム１ａ、１ｂを支えるような形に作られる。収納位置においては、アーム１ａ、１ｂは第一のスペース４１に折りたたまれて収納され、スライド３はガイドフレーム４の第二のストッパー部材４３ｂで係止する。
【００４６】
ガイドフレーム４は、図３Ａおよび図３Ｂに示すようにハウジング５においてヒンジ点５０でヒンジ止めされる。ヒンジ点５０は蝶番で形成され、ヒンジ点５０回りにガイドフレーム４を開閉することができる。機能位置でガイドフレーム４が展開し、ハウジング５に対して直角に配置され、そのガイドフレーム４の一部分はヒンジ点５０からハウジング５の第二のスペース５１へ延びる。ガイドフレーム４は収納位置で折りたたまれ、ハウジング５の第二のスペース５１に配置される。
【００４７】
ガイドフレーム４は、機能位置においてヒンジ点５０から第二のスペース５１に延びるガイドフレーム４の一部に配置される旋回部材４２を有している。ガイドフレーム４は、旋回部材４２に加わる力によってハウジング５に対してヒンジ点５０回りに旋回することができる。
【００４８】
ロープ駆動装置２はロープ２０を有している。ロープの二つの端点は、図１および図３Ａの概観図で分かるように、スライド３から旋回部材４２を越えて、反対の方向に延びる。それにより、ロープ駆動装置２は旋回部材４２に対して二つの方向に力を加えることができる。
【００４９】
衣類ハンガー組立体はさらに、ガイドフレーム４の第一のストッパー部材４３ａに配置される方向転換点２６を有している。ロープ２０は方向転換点２６で１８０度方向転換され、その結果スライド３から方向転換点２６へ、またスリット３に戻って延びる。
【００５０】
機能位置から収納位置への転換時、旋回部材４２を介してロープ２０を引っ張ることで、ハウジング５の方向にヒンジ点５０回りにガイドフレーム４を折りたたむことができる。衣類ハンガー組立体の収納位置において、旋回部材４２を介してヒンジ点５０回りにロープ２０を引っ張ることで第二のスペース５１からガイドフレーム４を展開することができる。
【００５１】
ロープ駆動装置２にはさらにロープ２０の両端を巻き取ることができるリール部材２２を有する。ロープ２０の一つの端はリール部材２２に第一の回転方向に部分的に巻き上げられる。また他の端は第二の回転方向に部分的に巻き上げられる。そのためリール部材２２の回転時、回転方向に依存して、ロープ２０の一端が巻き上げられまたロープ２０の他の端が巻き戻されるか、あるいは逆にロープ２０の一端が巻き戻されて、ロープ２０の他の端が巻き上げられる。
【００５２】
リール部材２２は、ハウジング５に回転可能に取り付けられたロープ駆動装置２のシャフト２３に回転固定で連結される。ロープ駆動装置２はさらにモーターを有し、このモーターはハウジング５に配置されてシャフト２３を回転させる。
【００５３】
ロープ駆動装置２はその他に引っ張り装置２１を有し、それによってロープ２０の第一の端はリール部材２２から旋回部材４２に延びてロープ２０を引っ張る。リール部材２２にロープ２０の第一の端を巻きつけることによって機能位置から収納位置へ移行させる。
【００５４】
ロープ駆動装置２はさらに方向転換部材２５を有し、そこでロープ２は方向転換する。ロープ２０の第二の端はリール部材２２から方向転換部材２５を越えて旋回部材４２に向かって延びる。ロープ２０の第二の端を巻き上げることによって収納位置から機能位置へ移行させる。
【００５５】
収納位置から機能位置への変換は、詳しくは次のように進行する；リール部材２２の回転時、方向転換部材２５を超えて延びるロープ２０の第二の端が巻き上げられて、それにより、機能位置においてヒンジ点５０から第二のスペース５１に延びるガイドフレーム４の部分に、旋回部材４２を介してロープ２０を引っ張ることによって力が加わり、第二のスペース５１から展開方向Ａに向かってガイドフレーム４を展開させる。
【００５６】
ガイドフレーム４が第二のスペース５１から展開した後、ロープ２０の第二の端をさらに巻き上げることで、第二のストッパー部材４３ｂで休止している位置から第一のストッパー部材４３ａの方向にスライド３を移動させる。
【００５７】
収納位置において、アーム１ａ、１ｂは部分的にガイドフレーム４のケースの形状をした収納部材４４にはまり込み、それによりトーションばね３２ａ、３２ｂのばね力を補足する。第二のストッパー部材４３ｂで係止している位置から第一のストッパー部材４３ａの方向に向かってスライド３が移動して、アーム１ａ、１ｂおよび収納部材４４の噛み合いが解除される。トーションばね３２ａ、３２ｂのばね力で第一のスペース４１からアーム１ａ、１ｂを展開させる。
【００５８】
ロープ２０の第二の端をさらに巻き上げることにより、スライド３をガイドフレーム４に沿って、第一のストッパー部材４３ａに向かって機能位置へ移動させる。
【００５９】
テンション装置２１を超えて延びるロープ２０の第一の端を巻き上げることで、図４に示すように、機能位置から収納位置への転換が起きる。巻き上げによって、まず第二のストッパー部材４３ｂの方向にスライド３を移動させる。アーム１ａ、１ｂが第一の調整部材４５ａ，および第二の調整部材４５ｂに当たると、アーム１ａ、１ｂは第一のスペース４１の中に折りたたまれる。同時に、特にスライド３が第二のストッパー部材４３ｂに当たると、ケーブル２は旋回部材４２でガイドフレーム４に力を加え、それによってガイドフレーム４をヒンジ点５０回りに、折りたたみ方向Ｅに旋回させる。ガイドフレーム４に加わる力で、ハウジング５の第二のスペース５１中に、ガイドフレーム４を折りたたむ。
【符号の説明】
【００６０】
１ａ、１ｂ        アーム
２                ロープ駆動装置
２０              ロープ
２１              テンション装置
２２              引っ張り装置
２３              シャフト
２４              モーター
２５              方向転換部材
２６              方向転換点
３                スライド
３０ａ、３０ｂ    噛み込み部材
３２ａ、３２ｂ    トーションばね（脚付ばね）
３３              固定点
４                ガイドフレーム
４０ａ、４０ｂ    ガイド溝
４１              第一のスペース
４２              旋回部材
４３ａ            第一のストッパー部材
４３ｂ            第二のストッパー部材
４４              収納部材
４５ａ            第一の調整部材
４５ｂ            第二の調整部材
５                ハウジング
５０              ヒンジ点
５１              第二のスペース
Ａ                展開方向
Ｅ                折りたたみ方向
【図１】
2021502189.tif 000003
【図２Ａ】
2021502189.tif 000004
【図２Ｂ】
2021502189.tif 000005
【図３Ａ】
2021502189.tif 000006
【図３Ｂ】
2021502189.tif 000007
【図４】
2021502189.tif 000008
【国際調査報告】
2021502189.tif 000009
2021502189.tif 000010
2021502189.tif 000011
2021502189.tif 000012